(57)【要約】【課題】装置本体に付随するカバー部材を効果的に用いることにより、装置本体の操作部に対する操作性の向上を図ることが可能な携帯端末装置を提供する。【解決手段】装置本体２の前面に配置された表示部を保護するための被覆面１１を有するカバー部材１を、装置本体２の使用時には装置本体２の背面側に取り付けられるようにするとともに、カバー部材１が装置本体２の背面側に取り付けられている状態でカバー部材１が装置本体２を保持するための保持部として機能させ、操作時における装置本体の安定化を図る。【選択図】図１
2004171303.tif 000002
【特許請求の範囲】
【請求項１】
装置本体の前面に配置された表示部および前記前面の端部に配置された操作部のうち少なくとも前記表示部を被覆する被覆面と、前記被覆面の端部に形成されるとともに前記装置本体に設けられた係止部に係合する係合部と、を有するカバー部材を備え、
前記カバー部材は、前記装置本体の使用状態に応じて、少なくとも前記被覆面が前記装置本体の前面側に対向する位置、および前記被覆面が前記装置本体の背面側に対向する位置であって前記装置本体の前記操作部側の端部から前記カバー部材の一部がはみ出すような位置に係止されることを特徴とする携帯端末装置。
【請求項２】
前記カバー部材の前記係合部は、少なくとも前記カバー部材の前記被覆面が前記装置本体の背面側に係止される状態において、前記装置本体の複数の位置に形成された係止部のうちの任意の係止部に係合することを特徴とする請求項１に記載の携帯端末装置。
【請求項３】
前記カバー部材は、少なくとも装置本体を保持する手が当接する部分が丸みを持つように形成されることを特徴とする請求項１または２に記載の携帯端末装置。
【請求項４】
前記装置本体に、前記カバー部材の前記係合部を前記係止部に係合する位置に案内する案内溝を形成したことを特徴とする請求項１〜３のいずれかに記載の携帯端末装置。
【請求項５】
前記カバー部材は、前記被覆面の端部であって前記係合部が形成されていない箇所に、前記カバー部材の強度を向上させる補強部を設けたことを特徴とする請求項１〜４のいずれかに記載の携帯端末装置。
【発明の詳細な説明】
【０００１】
【発明の属する技術分野】
この発明は、ＰＤＡ（Ｐｅｒｓｏｎａｌ  Ｄｉｇｉｔａｌ  Ａｓｓｉｓｔａｎｔ）等の携帯端末装置に関し、特に、携帯端末装置の表示部を保護するために使用されるカバー部材に特徴を有する携帯端末装置に関する。
【０００２】
【従来の技術】
近年、スケジュールやアドレス帳の管理機能、およびメール等の通信機能を有する携帯端末装置が普及しているが、このような携帯端末装置の表示部には小型化・軽量化に適している液晶ディスプレイが用いられることが多い。そして、この液晶ディスプレイ等が汚れたり、外力の作用によって破損したりすることを防止するために、通常、携帯端末装置にはカバー部材が付随しており、このカバー部材で液晶ディスプレイ等を被覆することで、液晶ディスプレイ等を適正に保護するものが多かった。
【０００３】
ところが、カバー部材を単に液晶ディスプレイ等を保護する用途のみに用いるのではなく、操作性、デザイン性、利便性の各観点からカバー部材に対して様々な工夫が施されることが望ましいといえる。
【０００４】
そこで、従来技術の中には、例えば、表示部を開閉自在に被覆するカバー部材が表示部を開放しており携帯端末装置を使用している状態で、カバー部材によって装置本体を特定の姿勢に支持することにより、表示部を保護するためだけでなく、装置本体の姿勢を保持するためにもカバー部材を使用することを可能にして、装置に既存の部材の有効活用を図るものがある（例えば、特許文献１参照。）。
【０００５】
また、装置本体と装置本体を覆う筐体とで構成される携帯型電子機器（携帯端末装置）において本体を覆う筐体を本体裏側にスライドさせることで画面へのペン入力を安定させるものがある（例えば、特許文献２参照。）。
【０００６】
さらに、カバー部材を操作性向上に利用した従来技術の他の例として、タイプライタ、ワードプロセッサ等のキーボードカバーを機器操作時にパームレストとして使用するものもある（例えば、特許文献３参照。）。
【０００７】
【特許文献１】
特開平１１−２７４７５０号公報
【特許文献２】
特開平４−８５８９５号公報
【特許文献３】
特開昭６１−２１３９１１号公報
【発明が解決しようとする課題】
しかしながら、上述の従来技術では、カバー部材によって実際に装置本体の操作部に対して操作している際の操作性が向上しているとはいえない。
【０００８】
ここで、携帯端末装置の装置本体はできるだけ小さくする必要があるところ、その限られたサイズの制限のなかで情報を表示する表示部はできるだけ大きくすることが求められているため、これに伴って操作部は携帯端末装置の装置本体端に位置することになり操作しにくいという不都合が生じる虞があるが、このとき、カバー部材を用いて実際に装置本体の操作部に対する操作性を向上させることができれば非常に効果的であるといえる。
【０００９】
この発明の目的は、装置本体に付随するカバー部材を効果的に用いることにより、装置本体の操作部に対する操作性の向上を図ることが可能な携帯端末装置を提供することである。
【００１０】
【課題を解決するための手段】
この発明は以下の構成を備えている。
【００１１】
（１）装置本体の前面に配置された表示部および前記前面の端部に配置された操作部のうち少なくとも前記表示部を被覆する被覆面と、前記被覆面の端部に形成されるとともに前記装置本体に設けられた係止部に係合する係合部と、を有するカバー部材を備え、
前記カバー部材は、前記装置本体の使用状態に応じて、少なくとも前記被覆面が前記装置本体の前面側に対向する位置、および前記被覆面が前記装置本体の背面側に対向する位置であって前記装置本体の前記操作部側の端部から前記カバー部材の一部がはみ出すような位置に係止されることを特徴とする。
【００１２】
この構成においては、装置本体の非使用時に装置本体の前面側に係止されて装置本体の前面に配置された表示部を保護するためのカバー部材の被覆面が、装置本体の使用時には装置本体の背面側に係止されるとともに、装置本体の背面側に係止されている状態において前記装置本体の保持部として機能する。
【００１３】
したがって、前記装置本体が使用時および非使用時にいずれの場合にも同一の重量になり、前記装置本体を保持する手に違和感が生じることがない。また、前記カバー部材が常に装置本体に係合するため前記カバー部材の紛失等が防止される。さらに、前記カバー部材を保持しやすい形状にすることで、例えば、前記装置本体の操作部に対して片手操作する必要が生じた場合でも、前記装置本体が不安定な状態になることが防止される。特に、装置本体に既存のカバー部材のみで操作性の向上が図られ、前記装置本体のサイズが大きくなる等の不都合が防止される。
【００１４】
（２）前記カバー部材の前記係合部は、少なくとも前記カバー部材の前記被覆面が前記装置本体の背面側に係止される状態において、前記装置本体の複数の位置に形成された係止部のうちの任意の係止部に係合することを特徴とする。
【００１５】
この構成においては、少なくとも前記カバー部材の被覆面が前記装置本体の背面側に係止される状態において、すなわち前記カバー部材の被覆面が前記装置本体の保持部として機能している状態において、前記装置本体の複数の位置に形成された係止部のうちのいずれかの係止部に任意に係合する。
【００１６】
したがって、前記カバー部材の被覆面が前記装置本体の保持部として機能している状態で前記装置本体に対する前記カバーの相対位置が調整されるため、前記操作部に対する操作が行い易いように保持部としてのカバー部材の位置が調整されることにより前記装置本体に対する操作性が向上し、たとえ前記装置本体の前記操作部に対して片手操作を行うときでも前記装置本体が不安定な状態になることがない。
【００１７】
（３）前記カバー部材は、少なくとも装置本体を保持する手が当接する部分が丸みを持つように形成されることを特徴とする。
【００１８】
この構成においては、前記カバー部材において、前記装置本体を保持する手が触れる箇所が丸みを持つように形成されている。したがって、前記装置本体が無理なく保持されるとともに、前記装置本体を保持する手が角等に触れることがないため、前記装置本体を保持する手の安全が確保される。
【００１９】
（４）前記装置本体に、前記カバー部材の前記係合部を前記係止部に係合する位置に案内する案内溝を形成したことを特徴とする。
【００２０】
この構成においては、前記装置本体に前記カバー部材を着脱する際にスライドさせるための案内溝が形成されている。したがって、装置本体に対する前記カバー部材の着脱が容易に行われる。
【００２１】
（５）前記カバー部材は、前記被覆面の端部であって前記係合部が形成されていない箇所に、前記カバー部材の強度を向上させる補強部を設けたことを特徴とする。
【００２２】
この構成においては、前記カバー部材の強度を向上させる補強部が前記係合部の機能を害さない状態に形成されている。したがって、前記カバー部材の機能を確保しつつその強度が向上する。
【００２３】
【発明の実施の形態】
以下、図を用いて本発明の携帯端末装置の実施形態を説明する。
【００２４】
図１は本発明の特徴を示す図であり、携帯端末装置を片手（左手）で操作する際の重量バランスについて示したものである。通常、携帯端末装置は、前面側に表示部としての液晶ディスプレイ４とキー操作部７（７Ａ〜７Ｃ）を備えている。
【００２５】
ここで、図１（ａ）に示すように、携帯端末装置に対して入出力される情報が増加すると、必然的に情報を表示するための液晶ディスプレイ４等の表示部が大きくなるが、この液晶ディスプレイ４等の表示部が拡大するにつれて操作部７が装置本体前面の端部に配置されることになる。
【００２６】
そして、操作部７が装置本体の下端部に配置されるようになると、この操作部７に対する操作を行う親指と装置本体の背面側を支える他の指とによって適正に装置本体を支えることが困難となる結果、装置本体のバランスが悪くなり不安定になるといった不都合があった。
【００２７】
そこで、本発明の携帯端末装置では、図１（ｂ）に示すように装置本体に付随し、通常は液晶ディスプレイ４の保護の用途に使用されるカバー部材を装置本体の下端部に取り付けて装置本体の保持部として効果的に利用することにより、片手操作を行う場合でも装置本体を無理なく安定した状態で保持することを可能にしている。以下、この点について第１〜第３の実施形態を示しつつ詳細に説明する。
【００２８】
図２（ａ）〜（ｇ）は、この発明の第１の実施形態に係る携帯端末装置、および携帯端末装置に付随するカバー部材の構成を示す図であり、それぞれ、カバー部材の正面図、カバー部材の側面図、カバー部材のＡ−Ａ断面図、カバー部材のＢ−Ｂ断面図、装置本体の正面図、装置本体の側面図、装置本体のＣ−Ｃ断面図を示している。
【００２９】
以下の実施形態に用いられるカバー部材１の素材は、可撓性を有するプラスチックであるが、特に素材はこれに限定されることはない。図２（ｃ）に示すようにカバー部材１は、平板状の被覆面１１と被覆面１１の上部の両側端に被覆面に直交するように形成された両側面１２とによって略コの字型断面形状を呈している。カバー部材１のうち保護される液晶ディスプレイ４側に配置される面、すなわち、カバー部材１の内面１３の図中の左右方向（以下、単に左右方向という。）の幅は装置本体２の左右方向の幅にほぼ一致している。
【００３０】
両側面１２における内面１３側の中央部には凸部３Ａが形成されている。そして、両側面１２および凸部３Ａにより本発明の係合部が構成される。また、図２（ｂ）および（ｄ）に示すように、カバー部材１下部に被覆面１１に直交するように突起６が形成されているが、この突起６が形成された箇所についても同様に略コの字型断面形状を呈している。この突起６の内面１３側の左右方向の幅は装置本体２の左右方向の幅にほぼ一致している。
【００３１】
一方、図２（ｅ）に示すように、装置本体２の正面において中央部には液晶ディスプレイ４が配置されているとともに、液晶ディスプレイ４の下部にはキー操作部７が配置されている。
【００３２】
さらに、図２（ｆ）および図２（ｇ）に示すように装置本体２の側面には、本発明の係止部となる凹部５Ａ、５Ｂ、および５Ｃが形成されており、この凹部５（５Ａ〜５Ｃ）にカバー部材１の凸部３Ａを嵌め込むことによりカバー部材１の位置が装置本体２に係止され固定される。
【００３３】
図３は、携帯端末装置を使用していない時の液晶ディスプレイ４をカバー部材１によって被覆し保護している状態を示しており、図３（ａ）〜（ｄ）は、それぞれ装置本体２の正面図、装置本体の側面図、装置本体のＡ−Ａ断面図、およびＢ−Ｂ断面図となる。
【００３４】
図３（ｂ）および（ｃ）に示すように、装置本体２の液晶ディスプレイ４とカバー部材の被覆面１１とが対向するようにし、装置本体２の両側面に形成される上側の凹部５Ａにカバー部材１の凸部３Ａを嵌め込むことにより図３（ａ）に示すように正面において液晶ディスプレイ４が保護される。
【００３５】
図４（ａ）〜（ｄ）は携帯端末装置を使用しているときにカバー部材１を装置本体２と一体化させた状態を示した図である。図４（ｂ）に示すように、装置本体２の背面側とカバー部材１の被覆面１１とが対向するようにし、装置本体２の両側面１２に形成される凹部５Ａにカバー部材１の凸部３Ａを嵌め込むと、図４（ａ）のように液晶ディスプレイ４が露出した状態で装置本体２にカバー部材１が係止され、装置本体２を使用時においてカバー部材１がない状態と同じ操作性を得ることができる。
【００３６】
ここで、図１（ａ）に示したように携帯端末装置を片手で操作する際は親指の付け根の浅い位置で装置本体２の左下側を固定し、装置本体２の中央部１０を背面から指で押さえバランスをとることになる。その状態で装置本体２の中央部より下に位置するキー操作部７を操作するには装置本体２の正面から親指によって押さえこむこととなるためバランスが悪くなり操作が不安定となる問題がある。
【００３７】
図５および図６は、携帯端末装置の使用時において、カバー部材１を装置本体２の保持部として使用している状態を示す図である。図５（ｂ）、または図６（ｂ）に示すように、装置本体２の背面側にカバー部材１を配置して、ユーザの手の大きさに合わせて凹部５Ｂまたは５Ｃにカバー部材１の凸部３Ａを嵌め込んで、カバー部材１の位置を固定する。
【００３８】
これにより、装置本体２の筐体が実質上下側に延長された場合と同様の状態が形成されることから、図１（ｂ）に示すように携帯端末装置を片手で操作する際は親指の付け根の深い位置で装置本体２の左下側を固定し、装置本体２の正面から親指により操作するときに本体を支える指がキー操作部７の裏側２０に位置するため、バランスを崩すことなく操作できる。
【００３９】
また、カバー部材１の下側の突起６があり、この突起６が装置本体２の厚みと同一の厚みに形成されているため、カバー部材１に装置本体２と同様の厚みを得ることができ、装置本体を保持する手に違和感を感じさせることなく装置本体２をしっかりと固定することが可能になる。さらに、突起６の角は丸みを帯びているため片手で持つ際の安全性を確保することができる。
【００４０】
図７（ａ）〜（ｉ）は、本発明の第２の実施形態に係る携帯端末装置の構成を示す図であり、それぞれ、カバー部材の正面図、カバー部材の側面図、カバー部材のＡ−Ａ断面図、カバー部材のＢ−Ｂ断面図、装置本体の正面図、装置本体の側面図、装置本体のＣ−Ｃ断面図、装置本体のＤ−Ｄ断面図、および装置本体のＥ−Ｅ断面図を示している。
【００４１】
第２の実施形態における携帯端末装置の基本構成は、原則的に第１の実施形態における携帯端末装置と同様である。
【００４２】
ただし、第２の実施形態における携帯端末装置は、その両側面にカバー部材１の凸部３Ａを凹部５Ａ、５Ｂ、および５Ｃが形成されている位置に案内するための溝部８が形成されている点が第１の実施形態と相違している。
【００４３】
図８（ａ）〜（ｄ）は、第２の実施形態の携帯端末装置の非使用時におけるカバー部材の状態を示す図である。図８（ｂ）、（ｃ）に示すように、カバー部材１を溝部８に沿って装置本体２の液晶ディスプレイ４と被覆面１１とが対向するようにしてスライドさせ、両側面に形成される上側の凹部５Ａにカバー部材１の凸部３Ａを嵌め込むことにより図８（ａ）に示すように正面において液晶ディスプレイ４が保護される。
【００４４】
図９（ａ）〜（ｄ）は携帯端末装置を使用しているときにカバー部材１を装置本体２と一体化させた状態を示した図である。図９（ｂ）、（ｃ）に示すように、カバー部材１を溝部８に沿って装置本体２の背面側とカバー部材の内面１３とが対向するようにしてスライドさせ、装置本体２の両側面に形成される凹部５Ａにカバー部材１の凸部３Ａを嵌め込むと図９（ａ）のように液晶ディスプレイ４が露出した状態で装置本体２にカバー部材１が係止され、使用時においてカバー部材１がない状態と同じ操作性を得ることができる。
【００４５】
図１０（ａ）〜（ｄ）、および図１１（ａ）〜（ｄ）は携帯端末装置を使用しているときにカバー部材１を装置本体２と一体化させ、且つ操作性を向上させる技術を示している。図１０（ｂ）または図１１（ｂ）に示すように、装置本体２の背面側とカバー部材１の被覆面１１とを対向させた状態で、ユーザの手の大きさに合わせて凹部５Ｂまたは５Ｃにカバー部材１の凸部３Ａを嵌め込むと、ユーザが任意にカバー部材１の下端部と操作部７との位置関係を調整することが可能になる。すなわち、ユーザが操作部７に対する操作を行う際には、ユーザの手は必然的にカバー部材１に当接するところ、装置本体２の下端部からカバー部材１の下端部をどの程度延び出させるかを調整することにより、ユーザが操作部７に対する操作を容易に行える状態を形成することができる。
【００４６】
以上のように第２の実施形態においても第１の実施形態と同様に、図１（ｂ）に示すように携帯端末装置を片手で操作する際は親指の付け根の深い位置で装置本体２の左下側を固定し、装置本体２の正面から親指により操作するときに本体を支える指がキー操作部７Ａ、７Ｂ、７Ｃの裏側２０に位置するためバランスを崩すことなく操作でき、また、カバー部材１の下側に突起６が形成されているため、カバー部材１に装置本体２と同様の厚みを得ることができるため装置本体２をしっかりと固定することが可能になる。さらに、突起６の角は丸みを帯びているため片手で持つ際の安全性を確保することができる。そして、本実施形態では、溝部８が形成されているため、装置本体２に対してカバー部材１を装着または取り外す際の便宜を図ることができる。
【００４７】
図１２（ａ）〜（ｉ）は、本発明の第３の実施形態に係る携帯端末装置の構成を示しており、それぞれカバー部材の正面図、カバー部材の側面図、カバー部材のＡ−Ａ断面図、カバー部材のＢ−Ｂ断面図、装置本体の正面図、装置本体の側面図、装置本体のＣ−Ｃ断面図、カバー部材のＦ−Ｆ断面図、およびカバー部材のＧ−Ｇ断面図、である。
【００４８】
第３の実施形態における携帯端末装置の構成は、原則的には上述の第１に実施形態における携帯端末装置と同様である。ただし、この実施形態では、カバー部材１の強度を高めるため補強板９が被覆面１１および両側面１２に接するように形成されている。
【００４９】
図１２（ｅ）に示すように、装置本体２の正面において中央部には液晶ディスプレイ４が配置されているとともに液晶ディスプレイ４の下部にはキー操作部７が配置されている。
【００５０】
図１３（ａ）〜（ｅ）は携帯端末装置の非使用時におけるカバー部材の状態を示す図である。図１３（ｂ）、（ｃ）、（ｅ）に示すように、装置本体２の液晶ディスプレイ４とカバー部材の内面１３を対向するようにし、装置本体２の両側面に形成される凹部５Ａにカバー部材１の凸部３Ａ、凹部５Ｂにカバー部材１の凸部３Ｂを嵌め込むことにより図１３（ａ）に示すように正面において液晶ディスプレイ４が保護される。
【００５１】
図１４（ａ）〜（ｅ）は携帯端末装置を使用しているときにカバー部材１を装置本体２と一体化させた状態を示した図である。図１４（ｂ）に示すように、装置本体２の背面側とカバー部材の内面１３とが対向するようにし、両側面に形成される凹部５Ａにカバー部材１の凸部３Ａ、凹部５Ｂにカバー部材１の凸部３Ｂを嵌め込むと、図１４（ａ）に示すように液晶ディスプレイ４が露出した状態で装置本体２にカバー部材１が係止され、使用時においてカバー部材１がない状態と同じ操作性を得ることができる。
【００５２】
図１５、図１６は携帯端末装置を使用しているときにカバー部材１を装置本体２と一体化させ、且つ操作性を向上させる技術を示した図である。図１５（ｂ）、（ｃ）、（ｄ）、または図１６（ｂ）、（ｃ）、（ｄ）に示すように、装置本体２の背面側とカバー部材の内面１３とが対向するようにし、ユーザの手の大きさに合わせて凹部５Ｂまたは５Ｃにカバー部材１の凸部３Ｂを嵌め込む。これにより、例えばユーザが片手で装置本体２を保持している状態で、自らが操作部７に対する操作を行い易くなるようにカバー部材１の位置を調整することが可能になる。
【００５３】
以上にように、第３の実施形態においても、上述の第１の実施形態および第２の実施形態と同様に、図１（ｂ）に示すように携帯端末装置を片手で操作する際は親指の付け根の深い位置で装置本体２の左下側を固定し、装置本体２の正面から親指により操作するときに本体を支える指がキー操作部７の裏側２０に位置するためバランスを崩すことなく操作できる。さらに、カバー部材１の下側の突起６があるため、カバー部材１に装置本体２同様の厚みを得ることができるので装置本体２はしっかりと固定される。また、両側面１２の角は丸みを帯びているため片手で持つ際の安全性を確保することができる。そして、第３の実施形態では、補強板が設けられているため、カバー部材１の強度を向上させることが可能になる。
【００５４】
【発明の効果】
以上のように、この発明によれば、以下の効果を奏することができる。
【００５５】
（１）装置本体の非使用時に装置本体の前面側に係止されて装置本体の前面に配置された表示部を保護するためのカバー部材の被覆面を、装置本体の使用時には装置本体の背面側に係止できるとともに、装置本体の背面側に係止されている状態において前記装置本体の保持部として機能させることが可能になることにより、前記装置本体を使用時および非使用時にいずれの場合にも同一の重量にすることができ、前記装置本体を保持する手に違和感が生じることを防止できる。
【００５６】
また、前記カバー部材を常に装置本体に係合させるため前記カバー部材の紛失等を防止することができる。さらに、前記カバー部材を保持しやすい形状にすることで、例えば、前記装置本体の操作部に対して片手操作する必要が生じた場合でも、前記装置本体が不安定な状態になることを防止することができる。特に、装置本体に既存のカバー部材のみで操作性の向上を図ることができ、前記装置本体のサイズが大きくなる等の不都合を防止することができる。
【００５７】
（２）少なくとも前記カバー部材の被覆面を、前記装置本体の保持部として機能している状態において、前記装置本体の複数の位置に形成された係止部のうちのいずれかの係止部に任意に係合させることができることにより、前記カバー部材の被覆面が前記装置本体の保持部として機能している状態で前記装置本体に対する前記カバー部材の相対位置を調整することができるため、前記操作部に対する操作が行い易いように保持部としてのカバー部材の位置を調整することにより前記装置本体に対する操作性を向上させることが可能になり、たとえ前記装置本体の前記操作部に対して片手操作を行うときでも前記装置本体が不安定な状態になることを防止できる。
【００５８】
（３）前記カバー部材の前記係合部において、前記装置本体を保持する手が触れる箇所を丸みを持つように形成することにより、前記装置本体を無理なく保持できるとともに、前記装置本体を保持する手が角等に触れることを防止して、前記装置本体を保持する手の安全を確保することができる。
【００５９】
（４）前記装置本体に前記カバー部材を着脱する際にスライドさせるための案内溝を形成したことにより、装置本体に対する前記カバー部材の着脱を容易に行うことが可能になる。
【００６０】
（５）前記カバー部材の強度を向上させる補強部を前記係合部の機能を害さない状態に形成したことにより、前記カバー部材の機能を確保しつつその強度を向上させることができる。
【００６１】
よって、装置本体に付随するカバー部材を効果的に用いることにより、装置本体の操作部に対する操作性の向上を図ることが可能な携帯端末装置を提供することができる。
【図面の簡単な説明】
【図１】携帯端末装置を片手で操作する際の重量バランスについて示した図である。
【図２】第１の実施形態における携帯端末装置およびカバー部材の構成を示す図である。
【図３】第１の実施形態における携帯端末装置の非使用時におけるカバー部材の状態を示す図である。
【図４】第１の実施形態における携帯端末装置の使用時におけるカバー部材の状態を示す図である。
【図５】カバー部材を携帯端末装置の保持部として使用している状態を示す図である。
【図６】カバー部材を携帯端末装置の保持部として使用している状態を示す図である。
【図７】第２の実施形態における携帯端末装置およびカバー部材の構成を示す図である。
【図８】第２の実施形態における携帯端末装置の非使用時におけるカバー部材の状態を示す図である。
【図９】第２の実施形態における携帯端末装置の使用時におけるカバー部材の状態を示す図である。
【図１０】カバー部材を携帯端末装置の保持部として使用している状態を示す図である。
【図１１】カバー部材を携帯端末装置の保持部として使用している状態を示す図である。
【図１２】第３の実施形態における携帯端末装置およびカバー部材の構成を示す図である。
【図１３】第３の実施形態における携帯端末装置の非使用時におけるカバー部材の状態を示す図である。
【図１４】第３の実施形態における携帯端末装置の使用時におけるカバー部材の状態を示す図である。
【図１５】カバー部材を携帯端末装置の保持部として使用している状態を示す図である。
【図１６】カバー部材を携帯端末装置の保持部として使用している状態を示す図である。
【符号の説明】
１−カバー部材
２−装置本体
３（３Ａ、３Ｂ）−凸部
４−液晶ディスプレイ
５（５Ａ〜５Ｃ）−凹部
６−突起部
７（７Ａ〜７Ｃ）−キー操作部
８−溝部
９−補強板
１１−被覆面（カバー部材）
１２−両側面（カバー部材）
１３−内面（カバー部材）
【図１】
2004171303.tif 000003
【図２】
2004171303.tif 000004
【図３】
2004171303.tif 000005
【図４】
2004171303.tif 000006
【図５】
2004171303.tif 000007
【図６】
2004171303.tif 000008
【図７】
2004171303.tif 000009
【図８】
2004171303.tif 000010
【図９】
2004171303.tif 000011
【図１０】
2004171303.tif 000012
【図１１】
2004171303.tif 000013
【図１２】
2004171303.tif 000014
【図１３】
2004171303.tif 000015
【図１４】
2004171303.tif 000016
【図１５】
2004171303.tif 000017
【図１６】
2004171303.tif 000018